(57)【特許請求の範囲】
【請求項１】
表示開口部を有する文字板と、
この文字板の下側に配置され、偏心回転部の偏心回転により振動を発生して情報を報知するための振動モータと、
この振動モータの前記偏心回転部の偏心回転によって回転して前記表示開口部から機能表示部を露呈させて情報を報知するための回転板と、を備え、
前記機能表示部は、複数の機能表示を有し、前記回転板の回転に応じて前記複数の機能表示が前記文字板の前記表示開口部に対応して露呈した際に、この露出した前記複数の機能表示のいずれかが指針によって選択的に指示されることを特徴とする情報報知装置。
【請求項２】
請求項１に記載の情報報知装置において、前記機能表示部は、前記文字板の前記表示開口部の下側に対応して設けられ、前記回転板が回転して前記表示開口部を開放させた際に、前記表示開口部を通して露呈することを特徴とする情報報知装置。
【請求項３】
請求項１に記載の情報報知装置において、前記機能表示部は、前記回転板の上面に前記文字板の前記表示開口部に対する移動軌跡上に沿って設けられ、前記回転板が回転して前記表示開口部に対応した際に、前記表示開口部を通して露呈することを特徴とする情報報知装置。
【請求項４】
請求項１〜請求項３のいずれかに記載の情報報知装置において、前記振動モータの前記偏心回転部の外周面には、歯部が設けられており、前記偏心回転部が接触と非接触とを繰り返す前記回転板の接触面には、前記歯部が噛み合う噛合い歯が設けられていることを特徴とする情報報知装置。
【請求項５】
請求項１〜請求項４のいずれかに記載の情報報知装置において、外部機器との間で通信を行う通信部を備えていることを特徴とする情報報知装置。
【請求項６】
請求項１〜請求項５のいずれかに記載された情報報知装置を備えていることを特徴とする電子時計。
【請求項７】
表示開口部を有する文字板と、
この文字板の下側に配置され、振動を発生して情報を報知するための振動部と、
この振動部によって回転して前記表示開口部から機能表示部を露呈させて情報を報知するための回転板と、を備え、
前記機能表示部は、複数の機能表示を有し、前記回転板の回転に応じて前記複数の機能表示が前記文字板の前記表示開口部に対応して露呈した際に、この露出した前記複数の機能表示のいずれかが指針によって選択的に指示されることを特徴とする情報報知装置。
【発明の詳細な説明】
【技術分野】
【０００１】
この発明は、電子腕時計などの携帯機器に用いられる情報報知装置およびこの情報報知装置を備えた電子時計に関する。
【背景技術】
【０００２】
例えば、電子腕時計においては、特許文献１に記載されているように、携帯電話機との間で通信を行う通信機能を備え、携帯電話機から呼出信号を受信した際に、振動体を振動させて、呼び出しがあったことを電子腕時計の使用者に知らせるように構成されたものが知られている。
【先行技術文献】
【特許文献】
【０００３】
【特許文献１】特開平０８−６５７４５号公報
【発明の概要】
【発明が解決しようとする課題】
【０００４】
しかしながら、このような電子腕時計では、携帯電話機から呼出信号を受信した際に、振動体を振動させて、呼び出しがあったことを報知するだけであるから、携帯電話機からの呼び出しの内容を知ることができないとうい問題がある。
【０００５】
この発明が解決しようとする課題は、振動によって情報を報知する際に、その報知内容を視覚によっても報知することができる情報報知装置および電子時計を提供することである。
【課題を解決するための手段】
【０００６】
この発明は、表示開口部を有する文字板と、この文字板の下側に配置され、偏心回転部の偏心回転により振動を発生して情報を報知するための振動モータと、この振動モータの前記偏心回転部の偏心回転によって回転して前記表示開口部から機能表示部を露呈させて情報を報知するための回転板と、を備え、前記機能表示部は、複数の機能表示を有し、前記回転板の回転に応じて前記複数の機能表示が前記文字板の前記表示開口部に対応して露呈した際に、この露出した前記複数の機能表示のいずれかが指針によって選択的に指示されることを特徴とする情報報知装置である。
また、この発明は、表示開口部を有する文字板と、この文字板の下側に配置され、振動を発生して情報を報知するための振動部と、この振動部によって回転して前記表示開口部から機能表示部を露呈させて情報を報知するための回転板と、を備え、前記機能表示部は、複数の機能表示を有し、前記回転板の回転に応じて前記複数の機能表示が前記文字板の前記表示開口部に対応して露呈した際に、この露出した前記複数の機能表示のいずれかが指針によって選択的に指示されることを特徴とする情報報知装置である。
【発明の効果】
【０００７】
この発明によれば、振動モータの偏心回転部が偏心回転して振動を発生すると、この振動モータの偏心回転部の偏心回転によって回転板を回転させることができるので、専用の駆動源を必要とせずに、回転板を回転させて機能表示部を文字板の表示開口部から露呈させて情報を報知することができる。これにより、振動によって情報を報知する際に、その報知内容を視覚によっても報知することができる。
【図面の簡単な説明】
【０００８】
【図１】この発明を電子腕時計に適用した第１実施形態を示した図である。
【図２】図１に示された電子腕時計において表示開口部が回転板で塞がれた状態を示した拡大正面図である。
【図３】図２に示された電子腕時計において表示開口部が開放された機能表示部が露呈した状態を示した拡大正面図である。
【図４】図２に示された電子腕時計のＡ−Ａ矢視における拡大断面図である。
【図５】図２に示された電子腕時計のＢ−Ｂ矢視における拡大断面図である。
【図６】図３に示された電子腕時計の情報報知装置における振動モータと回転板との対応関係を示し、（ａ）はその下面側から見た拡大斜視図、（ｂ）はその拡大側面図である。
【図７】図３に示された電子腕時計の情報報知装置において、戻し装置によって竜頭が押し出された状態を示した図である。
【図８】図７に示された情報報知装置において、竜頭が押し込まれて戻し装置が回転板を回転させて元の位置に戻した状態を示した図である。
【図９】図１に示された電子腕時計の回路構成を示したブロック図である。
【図１０】図１に示された電子腕時計との間で通信を行う携帯情報端末機の回路構成を示したブロック図である。
【図１１】図９に示された電子腕時計における情報報知処理の動作フローを示した図である。
【図１２】この発明を電子腕時計に適用した第２実施形態において、表示開口部が回転板で塞がれた状態を示した拡大正面図である。
【図１３】図１２に示された電子腕時計において、回転板が回転して機能表示部が表示開口部から露呈した状態を示した拡大正面図である。
【図１４】この発明を電子腕時計に適用した第３実施形態を示し、（ａ）は振動モータの偏心回転部の歯部と回転板の噛合い歯との対応関係を示した拡大図、（ｂ）はその振動モータを示した拡大図、（ｃ）は回転板の噛合い歯を示した拡大断面図である。
【図１５】図１４に示された電子腕時計の第３実施形態における変形例を示し、（ａ）は振動モータの偏心回転部の歯部と回転板の噛合い歯との対応関係を示した拡大図、（ｂ）はその振動モータを示した拡大図である。
【発明を実施するための形態】
【０００９】
（第１実施形態）
以下、図１〜図１１を参照して、この発明を電子腕時計に適用した第１実施形態について説明する。
この電子腕時計１は、図１に示すように、近距離無線機能を有し、携帯情報端末機２との間で近距離無線通信を行うように構成されている。携帯情報端末機２は、電子腕時計１との間で近距離無線通信を行うと共に、基地局との間で遠距離無線通信を行うように構成されている。
【００１０】
電子腕時計１は、図１〜図５に示すように、腕時計ケース３を備えている。この腕時計ケース３の上部開口部には、時計ガラス４が取り付けられている。この腕時計ケース３の下部には、裏蓋５が取り付けられている。さらに、腕時計ケース３の１２時側および６時側には、図１に示すように、時計バンド６がそれぞれ取り付けられており、この腕時計ケース３の３時側には、図２および図３に示すように、スイッチ機能を有して時刻修正を行うための竜頭７が設けられている。
【００１１】
また、この腕時計ケース３の内部には、図４および図５に示すように、時計モジュール８が配置されている。この時計モジュール８は、ハウジング９を備えている。このハウジング９には、時計ムーブメント１０および情報報知装置１１が設けられているほか、時計機能および近距離通信機能などに必要な各種の電子部品（図示せず）が設けられている。
【００１２】
時計ムーブメント１０は、図４に示すように、指針軸１２を回転させて秒針１３、分針１４、および時針１５を運針させるように構成されている。この場合、時計ムーブメント１０は、秒針１３を単独で運針させるための第１駆動系と、分針１４および時針１５を運針させるための第２駆動系とを備えている。
【００１３】
また、ハウジング９の上方には、図４および図５に示すように、文字板１６がハウジング９の上面から所定の間隔を隔てて配置されている。この文字板１６の周縁部上には、リング状の見切り部材１７が、時計ガラス４と文字板１６とに挟まれた状態で配置されている。また、この文字板１６には、指針軸１２を下側から上方に向けて突出させるための貫通孔１６ａが設けられている。
【００１４】
これにより、秒針１３、分針１４、および時針１５は、図４および図５に示すように、指針軸１２の上部に取り付けられて、文字板１６の上方を運針することにより、図２に示すように、時刻を指示するように構成されている。また、この文字板１６には、図２および図３に示すように、表示開口部１８が５時〜７時に対応して設けられている。この表示開口部１８は、指針軸１２を中心とする円弧状の長孔に形成されている。この表示開口部１８の下側に位置するハウジング９の上面には、図３および図４に示すように、後述する機能表示部１９が表示開口部１８に対応して設けられている。
【００１５】
一方、情報報知装置１１は、図２〜図５に示すように、振動を発生して情報を報知するための振動モータ２０と、この振動モータ２０によって回転して文字板１６の表示開口部１８を開閉するための回転板２１とを備えている。振動モータ２０は、モータ本体２０ａと、このモータ本体２０ａの出力軸２０ｂに偏心した状態で取り付けられた偏心回転部２０ｃとを備えている。
【００１６】
この振動モータ２０のモータ本体２０ａは、図２、図３、および図５に示すように、１２時側に位置する箇所のハウジング９内にゴムやエラストマーなどの緩衝材２２を介して配置されている。また、偏心回転部２０ｃは、ハウジング９の空間部９ａ内に配置され、この状態でハウジング９の上側に出没可能に露出するように構成されている。これにより、振動モータ２０は、モータ本体２０ａの駆動回転に伴って偏心回転部２０ｃが出力軸２０ｂを中心に偏心回転することにより、振動を発生するように構成されている。
【００１７】
回転板２１は、図２および図３に示すように、ほぼ半円形状に形成され、そのほぼ半円の弦の中間部がハウジング９に設けられた軸受け部２３に回転可能に取り付けられている。この場合、軸受け部２３は、その中心に指針軸１２が回転可能に取り付けられている。この回転板２１は、図５および図６に示すように、その下面に振動モータ２０の偏心回転部２０ｃが接離可能に接触することにより、偏心回転部２０ｃの回転に応じて指針軸１２を中心に回転するように構成されている。
【００１８】
すなわち、この回転板２１は、図６（ａ）および図６（ｂ）に示すように、偏心回転部２０ｃが出力軸２０ｂを中心に偏心回転する際に、出力軸２０ｂから最も離れた偏心回転部２０ｃの外周面が接触し、その接触によって回転力が付与され、この接触と非接触とを繰り返すことにより間欠的に回転するように構成されている。この場合、回転板２１は、図２および図３に示すように、指針軸１２を中心に所定角度、例えば約６０度〜約９０度の範囲で回転し、文字板１６の表示開口部１８を開閉するように構成されている。
【００１９】
これにより、回転板２１は、図２に示すように、通常は文字板１６の表示開口部１８を塞ぐ初期位置に位置し、振動モータ２０が回転した際に、図３に示すように、指針軸１２を中心に所定角度回転して、文字板１６の表示開口部１８を開放するように構成されている。なお、回転板２１の下面と偏心回転部２０ｃの外周面とには、ゴムシートなどの摩擦抵抗の大きい摩擦シート（図示せず）が設けられていることが望ましい。
【００２０】
また、この回転板２１は、図７に示すように、文字板１６の表示開口部１８を開放した状態のときに、図８に示すように、戻し部材２４によって文字板１６の表示開口部１８を塞ぐ初期位置に戻されるように構成されている。この戻し部材２４は、回転板２１に設けられた連動ピン２５と、この連動ピン２５に連動して竜頭７を出没方向に移動させるリンク部２６とを備えている。
【００２１】
連動ピン２５は、図７および図８に示すように、回転板２１の回転中心から少し離れた位置に設けられて回転板２１と共に回転移動するように構成されている。リンク部２６は、ほぼＬ字状に折り曲げられ、この折り曲げられた角部に支点部２６ａが設けられ、この状態で一端部２６ｂが支点部２６ａを中心に連動ピン２５と共に回転し、他端部２６ｃが支点部２６ａを中心に竜頭７と共に回転するように構成されている。
【００２２】
これにより、戻し部材２４は、図７に示すように、振動モータ２０によって回転板２１が反時計回りに回転して文字板１６の表示開口部１８を開放する際に、リンク部２６の一端部２６ｂが連動ピン２５によって押されることにより、支点部２６ａを中心にリンク部２６が時計回りに回転し、これに伴ってリンク部２６の他端部２６ｃが竜頭７を押し出すように構成されている。
【００２３】
また、この戻し部材２４は、図８に示すように、文字板１６の表示開口部１８を回転板２１で塞ぐ際に、竜頭７を押し込むと、この竜頭７によってリンク部２６の他端部２６ｃが押されて、リンク部２６が支点部２６ａを中心に反時計回りに回転し、これに伴ってリンク部２６の一端部２６ｂが連動ピン２５を押すことにより、回転板２１が時計回りに回転して文字板１６の表示開口部１８を塞ぐように構成されている。
【００２４】
ところで、文字板１６の表示開口部１８に対応する機能表示部１９は、図３および図７に示すように、複数の機能表示１９ａ〜１９ｃが表示されている。この複数の機能表示１９ａ〜１９ｃのうち、第１機能表示１９ａは、後述する携帯情報端末機２における電話の着信を表すＴＥＬが表示されている。また、第２機能表示１９ｂは、携帯情報端末機２におけるメールの着信を表すＭＬが表示されている。第３機能表示１９ｃは、携帯情報端末機２におけるアラーム時刻を表すＡＬが表示されている。
【００２５】
この場合、秒針１３は、図２および図８に示すように、文字板１６の表示開口部１８が回転板２１によって塞がれている状態のときに、分針１４および時針１５と共に通常運針し、図３および図７に示すように、回転板２１が回転して文字板１６の表示開口部１８を開放した状態のときに、時計ムーブメント１０によって単独で運針され、文字板１６の表示開口部１８から露呈している機能表示部１９の複数の機能表示１９ａ〜１９ｃのいずれかを指示するように構成されている。
【００２６】
すなわち、この秒針１３は、携帯情報端末機２が電話を着信した際の送信データを電子腕時計１が受信した際に、機能表示部１９の第１機能表示１９ａのＴＥＬを指示し、携帯情報端末機２がメールを着信した際の送信データを電子腕時計１が受信した際に、機能表示部１９の第２機能表示１９ｂのＭＬを指示し、さらに携帯情報端末機２がアラーム時刻になった際の送信データを電子腕時計１が受信した際に、機能表示部１９の第３機能表示１９ｃのＡＬを指示するように構成されている。
【００２７】
次に、この電子腕時計１の回路構成について、図９に示されたブロック図を参照して説明する。
この電子腕時計は、ＣＰＵ（Central Processing  Unit）３０、ＲＯＭ（Read Only Memory）３１、ＲＡＭ（Random Access Memory）３２、操作部３３、計時回路３４、時計ムーブメント１０、ムーブメント駆動回路３５、近距離無線通信部３６、ＵＡＲＴ（Universal Asynchronous  Receiver Transmitter）３７、振動モータ２０、モータ駆動回路３８、ピエゾ素子３９、素子駆動回路４０、およびＣＰＵ３０と各部との間で信号の受け渡しを行うバス４１などを備えている。
【００２８】
ＣＰＵ３０は、電子腕時計１の全体動作の統轄制御および各種演算処理を行う。このＣＰＵ３０は、計時回路３４の計数する現在時刻に基づいて時計ムーブメント１０を駆動させて、秒針１３、分針１４、時針１５を運針させて現在時刻を指示させる。また、このＣＰＵ３０は、近距離無線通信部３６を介して携帯情報端末機２で取得された情報に基づいて、送信された送信データを受信した際に、情報報知装置１１の振動モータ２０を駆動させて振動を発生させる。
【００２９】
ＲＯＭ３１は、ＣＰＵ３０が実行する種々のプログラムやそのプログラムによって利用される初期設定データを格納する。ＲＡＭ３２は、ＣＰＵ３０に作業用のメモリ空間を提供し、ＲＯＭ３１から読み込まれた実行プログラムを展開したり、一時データを記憶したりする。操作部３３は、竜頭７を含む１または複数の操作キーを備え、使用者によるキー操作に基づいて入力信号に変換して、ＣＰＵ３０に出力する。
【００３０】
計時回路３４は、現在時刻を計数して保持するカウンタである。この計時回路３４から出力された現在時刻データに基づいて時計ムーブメント１０が駆動されて、秒針１３、分針１４、時針１５が運針されて現在時刻が指示されたり、この現在時刻データと各種機能に係る設定時刻データ（例えばアラーム設定時刻）とが比較されて種々の動作が行われたりする。
【００３１】
時計ムーブメント１０は、ＣＰＵ３０から送られた制御信号により、ムーブメント駆動回路３５が動作して、第１、第２の駆動系における各ステップモータに駆動信号が与えられ、これにより各ステップモータが回転して、指針軸１２を回転させることにより、秒針１３、分針１４、時針１５が文字板１６の上方を運針して現在時刻を指示したり、第１駆動系を駆動して秒針１３のみを単独で運針させ、この秒針１３で機能表示部１９の第１〜第３の機能表示１９ａ〜１９ｃのいずれかを指示させたりする。
【００３２】
近距離無線通信部３６は、アンテナＡＮ４を介して外部機器である携帯情報端末機２との間でブルートゥース（Bluetooth（登録商標））通信を行うための通信制御部である。この近距離無線通信部３６は、規約バージョン４．０の低消費電力モードでの通信に対応しており、タイムプロファイルに従ったデータの送受信が可能となっている。
【００３３】
ＣＰＵ３０から出力された送信データは、ＵＡＲＴ３７でシリアル／パラレル変換などの処理が行われて、近距離無線通信部３６から携帯情報端末機２に送信される。また、携帯情報端末機２から近距離無線通信部３６を用いて受信された受信データは、ＵＡＲＴ３７でシリアル／パラレル変換などの処理が行われて、ＣＰＵ３０に入力される。
【００３４】
振動モータ２０は、振動を発することで、使用者に報知を行うと共に、回転板２１を回転させて機能表示部１９を露呈させる。ＣＰＵ３０からモータ駆動回路３８に制御信号が送られると、モータ駆動回路３８は、振動モータ２０を動作させるのに必要な電圧信号に変換して出力する。ピエゾ素子３９は、ブザー音を発することで、使用者に報知を行うためのものある。ＣＰＵ３０から素子駆動回路４０に制御信号が送られると、素子駆動回路４０は、ピエゾ素子３９を動作させるのに必要な電圧信号に変換して出力する。
【００３５】
次に、この電子腕時計１との間で通信を行う携帯情報端末機２について、図１を参照して説明する。
この携帯情報端末機２は、各種のアプリケーションを搭載した多機能型の携帯電話機であり、図１に示すように、機器ケース２ａに入力表示部２ｂおよび複数の操作キー２ｃが設けられた構成になっている。この場合、入力表示部２ｂは、透明なタッチパネルの下に平面型の表示パネルを配置したものであり、表示パネルに表示された情報がタッチパネルを通して見えるように構成されている。
【００３６】
このような携帯情報端末機２の回路構成について、図１０に示されたブロック図を参照して説明する。
この携帯情報端末機２は、ＣＰＵ４５、ＲＯＭ４６、ＲＡＭ４７、記憶部４８、操作部４９、内臓時計５０、表示部５１、表示駆動回路５２、スピーカ５３、マイク５４、コーディク５５、ＲＦ送受信回路５６、ＲＦ送受信用のアンテナＡＮ１、通信回路５７、近距離無線通信部５８、ＵＡＲＴ５９、近距離無線通信用のアンテナＡＮ２、振動モータ６０、モータ駆動回路６１、およびＣＰＵ４５と他の各部とを接続するバス６２などを備えている。
【００３７】
ＣＰＵ４５は、携帯情報端末機２の全体動作の統轄制御および各種演算処理を行う。ＲＯＭ４６は、ＣＰＵ４５が実行する種々のプログラムやそのプログラムによって利用される初期設定データを格納する。ＲＡＭ４７は、ＣＰＵ４５に作業用のメモリ空間を提供し、ＲＯＭ４６から読み込まれた実行プログラムを展開したり、一時データを記憶したりする。
【００３８】
記憶部４８は、不揮発性の読み書き可能なメモリであり、例えばＥＥＰＲＯＭ（Electrically Erasable  and Programmable Read  Only Memory）が用いられている。この記憶部４８には、例えば携帯情報端末機２で送受信されたメールデータ、種々のアプリケーションプログラムやアプリケーションデータが記憶される。
【００３９】
操作部４９は、複数の操作キー２ｃを備え、使用者によるキー操作に基づいて電気信号に変換し、入力信号としてＣＰＵ４５に出力する。また、この操作部４９には、入力表示部２ｂのタッチパネルにおけるタッチ操作による入力検出部を含む。内蔵時計５０は、現在時刻を計数して保持するカウンタである。この携帯情報端末機２では、この現在時刻が読み出されて、表示部５１に表示される。この内臓時計５０の現在時刻データは、ＲＦ送受信回路５６による基地局との通信時に随時または所定のタイミングで修正される。
【００４０】
表示部５１は、例えば液晶表示パネル、有機ＥＬ（Electro Luminescent）表示パネルなどの平面型の表示パネルである。ＣＰＵ４５から送られた制御信号により表示駆動回路５２が動作し、表示パネルである表示部５１に携帯情報端末機２の各種機能に係る表示を行わせる。スピーカ５３は、コーディク５５からの信号に基づいて電気信号を音声信号に変換して音声を出力する。また、マイク５４は、音波を検出した電気信号に変換し、コーディク５５に出力する。
【００４１】
コーディク５５は、入力された音声出力用デジタル信号をデコードしてアナログ信号としてスピーカ５３に送ると共に、マイク５４から取得された音声信号をエンコードしてＣＰＵ４５や通信回路５７に出力する。ＲＦ送受信回路５６は、ＲＦ送受信用のアンテナＡＮ１を用いて基地局との間で行われる送信の送受信処理を行う。また、通信回路５７は、ＲＦ送受信回路５６により送受信される送受信データの各種処理を行い、ＣＰＵ４５やコーディク５５との間でデータの受け渡しを行う。
【００４２】
近距離無線通信部５８は、近距離無線用のアンテナＡＮ２を介して外部機器である電子腕時計１との間でブルートゥース（Bluetooth（登録商標））通信を行うための通信制御部である。この近距離無線通信部５８は、規約バージョン４．０の低消費電力モードでの通信に対応しており、タイムプロファイルに従ったデータの送受信が可能となっている。ＣＰＵ４５から出力された送信データは、ＵＡＲＴ５９でシリアル／パラレル変換などの処理が行われて、近距離無線通信部５８から電子腕時計１に送信される。
【００４３】
また、電子腕時計１から近距離無線通信部５８を用いて受信された受信データは、ＵＡＲＴ５９でパラレル／シリアル変換などの処理が行われて、ＣＰＵ４５に入力される。振動モータ６０は、携帯情報端末機２における電話や電子メールの着信時などに、モータ駆動回路６１によって駆動されたモータの動作により振動を発生させる。
【００４４】
次に、この電子腕時計１の情報報知処理について、図１１に示す動作フローを参照して説明する。この場合、図１１は電子腕時計１のＣＰＵ３０により実行される情報報知処理の手順を示す図である。
この情報報知処理は、ステップＳ１で電子腕時計１が近距離無線通信部３６によってアンテナＡＮ４を介して外部機器である携帯情報端末機２との間でブルートゥース（Bluetooth（登録商標））通信を行い、通信中でステップＳ２に進む。
【００４５】
このステップＳ２で、携帯情報端末機２が電話や電子メールなどを着信した際の送信データを電子腕時計１が受信した際には、電子腕時計１の近距離無線通信部３６によって受信された受信データが、ＵＡＲＴ３７でシリアル／パラレル変換されて、ＣＰＵ３０に入力され、ステップＳ３に進む。このステップＳ３では、受信データに基づいてＣＰＵ３０がモータ駆動回路３８に制御信号を与えて、情報報知装置１１の振動モータ２０を駆動させる。
【００４６】
これにより、振動モータ２０の偏心回転部２０ｃが偏心回転して振動を発生し、携帯情報端末機２からの送信データを受信したことを報知する。このときには、振動モータ２０の偏心回転部２０ｃの偏心回転によって回転板２１が回転し、文字板１６の表示開口部１８を開放する。これにより、機能表示部１９の第１〜第３の各機能表示１９ａ〜１９ｃが表示開口部１８を通して露呈する。
【００４７】
このときには、回転板２１の回転に伴って戻し部材２４のリンク部２６が竜頭７を腕時計ケース３の外部に向けて押し出す。すなわち、回転板２１が回転すると、これに伴って戻し部材２４の連動ピン２５が回転移動し、この連動ピン２５がリンク部２６の一端部２６ｂを押すので、リンク部２６が支点部２６ａを中心に回転し、リンク部２６の他端部２６ｃが竜頭７を腕時計ケース３の外部に向けて押し出す。
【００４８】
このように、竜頭７が押し出されてスイッチ動作し、電気信号をＣＰＵ３０に入力すると、ステップＳ４に進む。このステップＳ４では、携帯情報端末機２からの受信データに基づいてＣＰＵ３０がムーブメント駆動回路３５に制御信号を与えて、時計ムーブメント１０の第１駆動系を駆動させる。
【００４９】
このときには、秒針１３のみを単独で運針させて機能表示部１９の第１〜第３の各機能表示１９ａ〜１９ｃのいずれかを指示する。例えば、ステップＳ３で、携帯情報端末機２が電話を着信した際の送信データを電子腕時計１が受信した際には、ステップＳ４で、その受信データに基づいて秒針１３が運針して機能表示部１９の第１機能表示１９ａであるＴＥＬを指示する。
【００５０】
同様に、携帯情報端末機２がメールを着信した際の送信データを電子腕時計１が受信した際には、その受信データに基づいて秒針１３が運針して機能表示部１９の第２機能表示１９ｂであるＭＬを指示する。さらに、携帯情報端末機２がアラーム時刻になった際の送信データを電子腕時計１が受信した際には、その受信データに基づいて秒針１３が運針して機能表示部１９の第３機能表示１９ｃであるＡＬを指示する。
【００５１】
このように、ステップＳ４で携帯情報端末機２から受信した受信データに基づいて、電子腕時計１の秒針１３が運針して、機能表示部１９の第１〜第３の各機能表示１９ａ〜１９ｃのいずれかを指示すると、ステップＳ５に進んで、竜頭７が押し込まれてスイッチ動作したか否かを判断し、竜頭７が押し込み操作されていなければ、押し込み操作されてスイッチ動作するまで待機する。
【００５２】
また、ステップＳ５で、竜頭７が押し込み操作されると、戻し部材２４によって回転板２１が回転して文字板１６の表示開口部１８を塞ぐと共に、竜頭７の押し込み操作によって竜頭７がスイッチ動作して電気信号をＣＰＵ３０に入力する。これにより、ステップＳ６に進んで、ＣＰＵ３０がムーブメント駆動回路３５に制御信号を与えて、時計ムーブメント１０の第１駆動系を駆動させ、秒針１３のみを単独で運針させて現在時刻に戻す。
【００５３】
この後、ステップＳ７に進んで、秒針１３、分針１４、および時針１５を通常運針させる。すなわち、このステップＳ７では、ＣＰＵ３０がムーブメント駆動回路３５に制御信号を与えて、時計ムーブメント１０の第１、第２の駆動系を駆動させる。これにより、秒針１３、分針１４、および時針１５を通常運針させ、この情報報知処理を終了する。
【００５４】
このように、この電子腕時計１の情報報知装置１1によれば、表示開口部１８を有する文字板１６と、この文字板１６の下側に配置され、偏心回転部２０ｃの偏心回転により振動を発生して情報を報知するための振動モータ２０と、この振動モータ２０の偏心回転部２０ｃの偏心回転によって回転して表示開口部１８から機能表示部１９を露呈させて情報を報知するための回転板２１と、を備えているので、振動モータ２０の振動によって情報を報知する際に、回転板２１によって報知内容を視覚によっても報知することができる。
【００５５】
すなわち、この電子腕時計１の情報報知装置１1では、振動モータ２０の偏心回転部２０ｃが偏心回転して振動を発生する際に、この振動モータ２０の偏心回転部２０ｃの偏心回転によって回転板２１を回転させることができるので、専用の駆動源を必要とせずに、回転板２１を回転させて機能表示部１９を文字板１６の表示開口部１８から露呈させて情報を視覚によって報知することができる。
【００５６】
これにより、振動モータ２０の振動によって情報を報知する際に、回転板２１によって同時に報知内容を視覚によっても報知することができる。この場合には、専用の駆動源を用いずに、回転板２１を回転させることができるので、消費電力を軽減することができると共に、実装スペースが大きくならず、装置全体をコンパクトに構成することができる。
【００５７】
また、この情報報知装置１1では、機能表示部１９が、文字板１６の下側に位置するハウジング９の上面に、文字板１６の表示開口部１８に対応して設けられ、回転板２１が回転して表示開口部１８を開放させた際に、この表示開口部１８を通して露呈するように構成されているので、振動モータ２０の偏心回転部２０ｃの偏心回転によって回転板２１を回転させて、文字板１６の表示開口部１８を開放することにより、表示開口部１８を通して機能表示部１９を文字板１６の上方から良好に見ることができる。
【００５８】
また、この情報報知装置１1では、機能表示部１９が、複数の機能表示１９ａ〜１９ｃを有し、回転板２１の回転に応じて複数の機能表示１９ａ〜１９ｃを文字板１６の表示開口部１８に対応させて露呈させた際に、この露出した複数の機能表示１９ａ〜１９ｃのいずれかを秒針１３によって選択的に指示する構成であるから、報知内容を正確に報知することができる。
【００５９】
例えば、携帯情報端末機２が電話を着信した際の送信データを電子腕時計１が受信した際には、秒針１３によって機能表示部１９の第１機能表示１９ａのＴＥＬを指示することができる。また、携帯情報端末機２がメールを着信した際の送信データを電子腕時計１が受信した際には、秒針１３によって機能表示部１９の第２機能表示１９ｂのＭＬを指示することができる。さらに、携帯情報端末機２がアラーム時刻になった際の送信データを電子腕時計１が受信した際には、秒針１３によって機能表示部１９の第３機能表示１９ｃのＡＬを指示することができる。
【００６０】
さらに、この電子腕時計１では、外部機器である携帯情報端末機２との間で通信を行う近距離無線通信部３６を備えていることにより、携帯情報端末機２から送信された送信データを電子腕時計１が受信した際に、情報報知装置１１によって報知することができる。この場合、携帯情報端末機２が基地局との間で通信を行う遠距離無線通信部であるＲＦ送受信回路部５６を有することにより、携帯情報端末機２が基地局からの電話やメールなどを着信した際の送信データを電子腕時計１に送信することができ、この送信された送信データを電子腕時計１が受信して、情報報知装置１１の振動モータ２０の振動によって報知することができると共に、その受信データに応じた機能を情報報知装置１１の機能表示部１９によって表示させて報知することができる。
【００６１】
例えば、電車内などの通信が禁止されている場所で、携帯情報端末機２が電話やメールなどを着信し、受信データを取得すると、その受信データに応じた機能を近距離無線通信部５８によって電子腕時計１に送信することができ、これにより携帯情報端末機２が取得した受信データに応じた機能を電子腕時計１の情報報知装置１１で報知することができるので、電車内などの通信が禁止されている場所でも、携帯情報端末機２が電話やメールなどを着信し、受信データを取得していることを使用者に知らせることができる。
【００６２】
（第２実施形態）
次に、図１２および図１３を参照して、この発明を電子腕時計に適用した第２実施形態について説明する。なお、図１〜図１１に示された第１実施形態と同一部分には同一符号を付して説明する。
この電子腕時計１の情報報知装置６５は、図１２および図１３に示すように、機能表示部６６を回転板６７に設けた構成であり、これ以外は第１実施形態とほぼ同じ構成になっている。
【００６３】
この場合、回転板６７は、第１実施形態と同様、振動モータ２０の偏心回転部２０ｃの偏心回転によって指針軸１２を中心に所定角度回転するように構成されている。この回転板６７の上面には、図１３に示すように、機能表示部６６が文字板１６の表示開口部１８に対する移動軌跡上に沿って設けられている。この機能表示部６６は、第１実施形態と同様、第１〜第３の各機能表示１９ａ〜１９ｃを有している。
【００６４】
この機能表示部６６は、図１２に示すように、回転板６７が回転しない通常状態のときに、文字板１６の表示開口部１８に対応せず、文字板１６の下側に隠れた状態を維持し、図１３に示すように、振動モータ２０の偏心回転部２０ｃの偏心回転によって回転板６７が反時計回りに回転した際に、文字板１６の表示開口部１８に対応して露呈するように構成されている。
【００６５】
また、この機能表示部６６は、図１３に示すように、文字板１６の表示開口部１８に対応して露呈した際に、第１〜第３の各機能表示１９ａ〜１９ｃのいずれかが秒針１３によって指示されるように構成されている。すなわち、この秒針１３は、第１実施形態と同様、携帯情報端末機２が電話を着信した際の送信データを電子腕時計１が受信した際に、機能表示部６６の第１機能表示１９ａのＴＥＬを指示するように構成されている。
【００６６】
同様に、この秒針１３は、携帯情報端末機２がメールを着信した際の送信データを電子腕時計１が受信した際に、機能表示部６６の第２機能表示１９ｂのＭＬを指示し、また、携帯情報端末機２がアラーム時刻になった際の送信データを電子腕時計１が受信した際に、機能表示部６６の第３機能表示１９ｃのＡＬを指示するように構成されている。
【００６７】
このような電子腕時計１の情報報知装置６５によれば、第１実施形態と同様の作用効果があるほか、機能表示部６６が回転板６７の上面に文字板１６の表示開口部１８に対する移動軌跡上に沿って設けられ、回転板６７が回転して機能表示部６６が表示開口部１８に対応した際に、表示開口部１８を通して機能表示部６６が露呈するように構成されているので、振動モータ２０が振動して情報を報知する際に、表示開口部１８を通して回転板６７の機能表示部６６を文字板１６の上方から良好に見ることができる。
【００６８】
すなわち、この情報報知装置６５によれば、振動モータ２０が振動して情報を報知する際に、振動モータ２０の偏心回転部２０ｃの偏心回転によって回転板６７が所定角度回転することにより、機能表示部６６を文字板１６の表示開口部１８に対応させることができ、これにより表示開口部１８を通して回転板６７の機能表示部６６を文字板１６の上方から良好に見ることができる。
【００６９】
（第３実施形態）
次に、図１４（ａ）〜図１４（ｃ）を参照して、この発明を電子腕時計に適用した第３実施形態について説明する。この場合にも、図１〜図１１に示された第１実施形態と同一部分には同一符号を付して説明する。
この電子腕時計１の情報報知装置７０は、図１４（ａ）に示すように、振動モータ２０の偏心回転部２０ｃの外周面に歯部７１を設け、回転板２１の下面に偏心回転部２０ｃの歯部７１が噛み合う噛合い歯７２を円弧状に沿って設けた構成であり、これ以外は第１実施形態とほぼ同じ構成になっている。
【００７０】
この場合、回転板２１の噛合い歯７２は、図１４（ａ）に示すように、回転板２１の回転中心を中心とする放射方向に形成され、図１４（ｃ）に示すように、その断面形状が山形状に形成されている。振動モータ２０の偏心回転部２０ｃの歯部７１は、図１４（ａ）および図１４（ｂ）に示すように、螺旋状に形成されている。これにより、振動モータ２０は、偏心回転部２０ｃの歯部７１が回転板２１の噛合い歯７２に噛み合う位置に配置することにより、回転板２１に対する設置位置が変えられるように構成されている。
【００７１】
このような電子腕時計１の情報報知装置７０によれば、振動モータ２０の偏心回転部２０ｃの外周面に螺旋状の歯部７１を設け、偏心回転部２０ｃが接触と非接触とを繰り返す回転板２１の接触面である下面に歯部７１が噛み合う噛合い歯７２を設けた構成であるから、振動モータ２０の偏心回転部２０ｃが偏心回転する際に、偏心回転部２０ｃの歯部７１と回転板２１の噛合い歯７２との噛み合いによって回転板２１を確実に且つ良好に回転させることができる。
【００７２】
この場合、回転板２１の噛合い歯７２が回転板２１の回転中心を中心とする放射方向に断面山形状に形成され、偏心回転部２０ｃの歯部７１が螺旋状に形成されているので、この偏心回転部２０ｃの歯部７１の螺旋角度に応じて、偏心回転部２０ｃの歯部７１と回転板２１の噛合い歯７２とを噛み合わせることにより、振動モータ２０を回転板２１に対する設置位置を変えることができる。このため、振動モータ２０を任意の位置、例えば図１４（ａ）に実線で示す位置、あるいは同図に点線で示す位置など、自由な位置に配置することができ、これにより振動モータ２０が邪魔にならないように配置することができる。
【００７３】
なお、上述した第３実施形態では、偏心回転部２０ｃの歯部７１を螺旋状に形成した場合について述べたが、これに限らず、例えば図１５（ａ）および図１５（ｂ）に示す変形例のように、振動モータ２０の偏心回転部２０ｃの歯部７１を螺旋状に形成する必要はなく、一般的な歯車の歯部とほぼ同じ形状に形成しても良い。この場合には、振動モータ２０を回転板２１の回転中心を通る位置に配置すれば良い。
【００７４】
また、上述した第１〜第３の各実施形態では、秒針１３によって機能表示部１９、６６の第１〜第３の各機能表示１９ａ〜１９ｃのいずれかを指示するように構成した場合について述べたが、必ずしも秒針１３で指示する必要はなく、分針１４と時針１５とをそれぞれ単独で運針させて分針１４または時針１５によって指示するようにしても良く、また秒針１３、分針１４、時針１５以外に機能針を別に設けて指示するように構成しても良い。
【００７５】
また、上述した第１〜第３の各実施形態では、振動モータ２０によって回転した回転板２１、６７を戻し部材２４によって初期位置に戻すように構成した場合について述べたが、必ずしも戻し部材２４によって回転板２１、６７を初期位置に戻す必要はなく、例えば振動モータ２０を逆回転させることにより、回転板２１、６７を逆回転させて初期位置に戻すように構成しても良い。
【００７６】
さらに、上述した第１〜第３の各実施形態では、外部機器である携帯情報端末機２との間で無線通信を行う近距離無線通信部３６を備えた構成である場合について述べたが、必ずしも携帯情報端末機２との間で無線通信を行う必要はなく、赤外線などの光による光通信を行うように構成しても良い。
【００７７】
また、上述した第１〜第３の各実施形態では、機能表示部１９、６６の第１〜第３の各機能表示１９ａ〜１９ｃが、携帯情報端末機２から送信された電話、メール、アラーム時刻などの機能を表示するように構成した場合について述べたが、必ずしも携帯情報端末機２から送信された機能を表示する必要はなく、例えば電子腕時計１自身が有する複数の機能を表示するように構成しても良い。
【００７８】
なおまた、上述した第１〜第３の各実施形態およびその各変形例では、電子腕時計１に適用した場合について述べたが、必ずしも電子腕時計１である必要はなく、例えばトラベルウオッチ、目覚まし時計、置き時計、掛け時計などの各種の指針式の電子時計に適用することができる。また、電子時計に限らず、携帯型の情報機器などの電子機器にも広く適用することができる。
【００７９】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８０】
（付記）
請求項１に記載の発明は、表示開口部を有する文字板と、この文字板の下側に配置され、偏心回転部の偏心回転により振動を発生して情報を報知するための振動モータと、この振動モータの前記偏心回転部の偏心回転によって回転して前記表示開口部から機能表示部を露呈させて情報を報知するための回転板と、を備えていることを特徴とする情報報知装置である。
【００８１】
請求項２に記載の発明は、請求項１に記載の情報報知装置において、前記機能表示部は、前記文字板の前記表示開口部の下側に対応して設けられ、前記回転板が回転して前記表示開口部を開放させた際に、前記表示開口部を通して露呈することを特徴とする情報報知装置である。
【００８２】
請求項３に記載の発明は、請求項１に記載の情報報知装置において、前記機能表示部は、前記回転板の上面に前記文字板の前記表示開口部に対する移動軌跡上に沿って設けられ、前記回転板が回転して前記表示開口部に対応した際に、前記表示開口部を通して露呈することを特徴とする情報報知装置である。
【００８３】
請求項４に記載の発明は、請求項１〜請求項３のいずれかに記載の情報報知装置において、前記機能表示部は、複数の機能表示を有し、前記回転板の回転に応じて前記複数の機能表示が前記文字板の前記表示開口部に対応して露呈した際に、この露出した前記複数の機能表示のいずれかが指針によって選択的に指示されることを特徴とする情報報知装置である。
【００８４】
請求項５に記載の発明は、請求項１〜請求項４のいずれかに記載の情報報知装置において、前記振動モータの前記偏心回転部の外周面には、歯部が設けられており、前記偏心回転部が接触と非接触とを繰り返す前記回転板の接触面には、前記歯部が噛み合う噛合い歯が設けられていることを特徴とする情報報知装置である。
【００８５】
請求項６に記載の発明は、請求項１〜請求項５のいずれかに記載の情報報知装置において、外部機器との間で通信を行う通信部を備えていることを特徴とする情報報知装置である。
【００８６】
請求項７に記載の発明は、請求項１に記載された情報報知装置を備えていることを特徴とする電子時計である。
【符号の説明】
【００８７】
１  電子腕時計
２  携帯情報端末機
３  腕時計ケース
７  竜頭
８  時計モジュール
１０  時計ムーブメント
１１、６５、７０  情報報知装置
１２  指針軸
１３  秒針
１４  分針
１５  時針
１６  文字板
１８  表示開口部
１９、６６  機能表示部
１９ａ〜１９ｃ  第１〜第３の各機能表示
２０  振動モータ
２０ａ  モータ本体
２０ｂ  出力軸
２０ｃ  偏心回転部
２１、６７  回転板
２４  戻し部材
３０、４５  ＣＰＵ
３６、５８  近距離無線通信部
７１  偏心回転部の歯部
７２  回転板の噛合い歯
【図１】
0005500465.tif 000002
【図２】
0005500465.tif 000003
【図３】
0005500465.tif 000004
【図４】
0005500465.tif 000005
【図５】
0005500465.tif 000006
【図６】
0005500465.tif 000007
【図７】
0005500465.tif 000008
【図８】
0005500465.tif 000009
【図９】
0005500465.tif 000010
【図１０】
0005500465.tif 000011
【図１１】
0005500465.tif 000012
【図１２】
0005500465.tif 000013
【図１３】
0005500465.tif 000014
【図１４】
0005500465.tif 000015
【図１５】
0005500465.tif 000016